(57)【特許請求の範囲】
【請求項１】
４心以上の光ファイバ心線を平行一列に配列し、その長手方向に連結部と非連結部を交互に形成して、隣り合う光ファイバ心線同士が間欠的に連結された光ファイバテープ心線であって、
光ファイバテープ心線の心線配列方向で隣り合う連結部は、光ファイバテープ心線の長手方向で重ならないように離間すると共に、心線配列方向で連結部が全く存在しない非連結箇所を間欠的に有し、
前記光ファイバテープ心線の心線配列方向の内側に位置する連結部の連結長さは、外側に位置する連結部の連結長さより長く形成されていることを特徴とする光ファイバテープ心線。
【請求項２】
前記内側に位置する連結部が、長さの短い連結部に分割して形成され、該長さの短い連結部の間の非連結部の長さは前記連結部の間の非連結部の長さよりも短く、前記内側に位置する連結部の前記長さの短い連結部の合計長さは、前記外側に位置する連結部の連結長さよりも長いか、あるいは、分割された前記外側の連結部の長さの短い連結部の合計長さよりも長く、前記長さの短い連結部に分割された連結部の連結長さは、前記長さの短い連結部と該長さの短い連結部の間の非連結部の合計長さであることを特徴とする請求項１に記載の光ファイバテープ心線。
【発明の詳細な説明】
【技術分野】
【０００１】
本発明は、４心以上の光ファイバ心線を平行一列に配列し、隣り合う光ファイバ心線同士が間欠的に結合された形態の光ファイバテープ心線に関する。
【背景技術】
【０００２】
複数本の光ファイバ心線を平行一列に並べて一体化された光ファイバテープ心線において、光ファイバ心線を単心に分離するのが容易であると共に、テープ心線の平行一列の保持状態を維持して多心一括融着接続等が行える光ファイバテープ心線が知られている。この光ファイバテープ心線は、複数本の光ファイバ心線を平行一列に並べ、その長手方向で連結部と非連結部を交互に形成し、隣り合う光ファイバ心線同士が間欠的に連結された形状のもので、種々の形状と製造方法が提案されている。
【０００３】
図３は、例えば、特許文献１に開示の光ファイバテープ心線１０で、４心の例が示されている。この光ファイバテープ心線１０は、図３（Ａ）にしめすように、外側に位置する隣り合う光ファイバ心線１と２、及び３と４は、連結部１１ａと非連結部１２ａにより間欠的に連結され、内側に位置する隣り合う光ファイバ心線２と３は、連結部１１ｂと非連結部１２ｂにより間欠的に連結される。そして、隣り合う連結部１１ａと１１ｂとは、互いに重ならないようにケーブル長手方向で離れている。また、連結部１１ａ，１１ｂの長さＬａ，Ｌｂは同じ長さで、非連結部１２ａ，１２ｂの長さＳａ，Ｓｂより短く形成されていて、これにより、全ての光ファイバ心線１〜４にわたって、連結部１１ａ，１１ｂが存在しない非連結箇所Ｓｚが間欠的に存在する形態となっている。
【０００４】
この光ファイバテープ心線１０によれば、光ファイバ心線を単心に分離する場合は、図３（Ｂ）に示すように、非連結部１２ａ，１２ｂのところにカッタ刃を差し込んで、連結部１１ａ，１１ｂを切り裂くことにより、容易に単心に分離することができる。また、複数本の光ファイバ心線１〜４は、その配列方向で全ての光ファイバ心線１〜４の連結部が重なることはない。このため、図３（Ｃ）に示すように心線配列方向に丸めて束ねることが可能で、ケーブル内への収納性を高めることができる。さらに、光ファイバ心線１〜４は、並列状態が保持されているので、一括融着接続等も行うことができる。
【先行技術文献】
【特許文献】
【０００５】
【特許文献１】特開２００３−２３２９７２号公報（図１２ａ）
【発明の概要】
【発明が解決しようとする課題】
【０００６】
図３（Ａ）に示すような４心の光ファイバテープ心線を、図３（Ｃ）のように丸めて収容するような場合、心線配列の外側に位置する連結部１１ａには、光ファイバ心線１本分の変形応力が加わる。これに対して、心線配列の内側に位置する連結部１１ｂには、光ファイバ心線２本分の変形応力が加わる。すなわち、心線配列の内側に位置する連結部１１ｂには、心線配列の外側に位置する連結部１１ａより大きな変形応力が加わり、破断されやすいという問題があった。
【０００７】
本発明は、上述した実状に鑑みてなされたもので、間欠的に連結された複数本の光ファイバ心線の心線配列の内側に位置する連結部が破断され難い光ファイバテープ心線の提供を目的とする。
【課題を解決するための手段】
【０００８】
本発明による光ファイバテープ心線は、４心以上の光ファイバ心線を平行一列に配列し、その長手方向に連結部と非連結部を交互に形成して、隣り合う光ファイバ心線同士が間欠的に連結された光ファイバテープ心線であって、光ファイバテープ心線の心線配列方向で隣り合う連結部は、光ファイバテープ心線の長手方向で重ならないように離間すると共に、心線配列方向で連結部が全く存在しない非連結箇所を間欠的に有し、光ファイバテープ心線の心線配列方向の内側に位置する連結部の連結長さは、外側に位置する連結部の連結長さより長く形成されていることを特徴とする。
また、光ファイバテープ心線の心線配列方向の内側に位置する連結部は、長さの短い連結部に分割して形成され、長さの短い連結部の間の非連結部の長さは連結部の間の非連結部の長さよりも短く、内側に位置する連結部の長さの短い連結部の合計長さは、外側に位置する連結部の連結長さよりも長いか、あるいは、分割された外側の連結部の長さの短い連結部の合計長さよりも長く、前記長さの短い連結部に分割された連結部の連結長さが長さの短い連結部と長さの短い連結部の間の非連結部の合計長さとなるようにしてもよい。
【発明の効果】
【０００９】
本発明によれば、光ファイバテープ心線を心線配列方向に丸めるように束ねても、心線配列の内側に位置する連結部の破断が抑制され、テープ形状を維持して取り扱いを容易にすることができる。
【図面の簡単な説明】
【００１０】
【図１】本発明の実施の形態を説明する図である。
【図２】本発明の他の実施の形態を説明する図である。
【図３】従来技術を説明する図である。
【発明を実施するための形態】
【００１１】
図１により本発明の実施の形態を説明する。図１（Ａ）は４心の光ファイバテープ心線の例を示し、図１（Ｂ）は６心の光ファイバテープ心線の例を示し、図１（Ｃ）は８心の光ファイバテープ心線の例を示す。図において、１０ａ〜１０ｃは光ファイバテープ心線、１１ａ〜１１ｄは連結部、１２ａ〜１２ｄは非連結部、Ｌａ〜Ｌｄは連結部の長さ（連結長さ）、Ｓａ〜Ｓｄは非連結部の長さ、Ｓｚは非連結箇所を示す。
【００１２】
図１（Ａ）に示す４心の光ファイバテープ心線１０ａは、光ファイバ心線１〜４（以下、単に心線１，２・・・と言う）の配列（心線配列）で、外側に位置する心線間を連結部１１ａと非連結部１２ａにより間欠的に連結し、内側に位置する心線間を連結部１１ｂと非連結部１２ｂにより間欠的に連結してなる。
すなわち、心線配列の一方の外側に位置する心線１と２を連結部１１ａと非連結部１２ａにより間欠的に連結し、他方の外側に位置する心線３と４を同様に連結部１１ａと非連結部１２ａにより間欠的に連結する。そして、内側に位置する心線２と３は、連結部１１ｂと非連結部１２ｂにより間欠的に連結する。
【００１３】
隣り合う連結部、すなわち、連結部１１ａと１１ｂは、互いに光ファイバテープ心線の長手方向に重ならないように離間される。なお、互いに隣り合っていない心線１，２間の連結部１１ａと心線３，４間の連結部１１ａは、互いに重なっていてもよい。しかし、心線配列方向で、連結部１１ａ，１１ｂが全く存在しない非連結箇所Ｓｚの領域が、光ファイバテープ心線の長手方向で間欠的に形成されるように、非連結部１２ａ，１２ｂの長さＳａ，Ｓｂが設定される。
【００１４】
本例の光ファイバテープ心線１０ａは、特に心線配列の外側に位置する連結部１１ａの長さをＬａ、内側に位置する連結部１１ｂの長さをＬｂとしたとき、Ｌａ＜Ｌｂとして、内側の連結部の長さＬｂを外側の連結部の長さＬａより長くして、内側の連結部の連結強度を高めたことを特徴としている。例えば、長さＬｂは長さＬａの１.２〜２倍位で設定する。なお、連結部１１ａ，１１ｂが全く存在しない非連結箇所Ｓｚを設けることで、外側に位置する非連結部１２ａの長さＳａは、連結部１１ａ，１１ｂの長さＬａ，Ｌｂより長くなる。しかし、内側の非連結部１２ｂの長さＳｂは、非連結箇所Ｓｚの領域によっては、連結部１１ａの長さＬａよりは長いが、連結部１１ｂ長さＬｂよりは短くなる場合もある。
【００１５】
図１（Ｂ）に示す６心の光ファイバテープ心線１０ｂは、光ファイバ心線１〜６の心線配列で、外側から内側に向けての連結部１１ａ〜１１ｃと非連結部１２ａ〜１２ｃにより
間欠的に連結してなる。
心線配列の一方の外側に位置する心線１と２を連結部１１ａと非連結部１２ａにより間欠的に連結し、他方の外側に位置する心線５と６を同様に連結部１１ａと非連結部１２ａにより間欠的に連結する。そして、内側に位置する心線２と３及び心線４と５を、連結部１１ｂと非連結部１２ｂにより間欠的に連結する。また、最も内側に位置する心線３と４を連結部１１ｃと非連結部１２ｃにより間欠的に連結する。
【００１６】
そして、図１（Ａ）の例と同様に、隣り合う連結部１１ａと１１ｂ及び１１ｂと１１ｃは、互いに光ファイバテープ心線の長手方向に重ならないように離間される。なお、互いに隣り合っていない心線１，２間及び心線５，６間の連結部１１ａと、心線３，４間の連結部１ｃとは、互いに重なっていてもよい。また、心線２，３間と心線４，５間の連結部１１ｂは、互いに重なっていてもよい。また、心線配列方向で、連結部１１ａ，１１ｂ，１１ｃが全く存在しない非連結箇所Ｓｚの領域が、光ファイバテープ心線の長手方向で間欠的に形成されるように、非連結部１２ａ，１２ｂ，１２ｃの長さＳａ，Ｓｂ，Ｓｃが設定される。
【００１７】
本例の光ファイバテープ心線１０ｂは、特に心線配列の外側に位置する連結部１１ａの長さをＬａ、内側に位置する連結部１１ｂの長さをＬｂ、最も内側に位置する連結部１１ｃの長さをＬｃとしたとき、Ｌａ＜Ｌｂ＜Ｌｃとして、内側の連結部の長さＬｂ，Ｌｃの長さを外側の連結部の長さＬａより順次長くして、内側の連結部の連結強度を高めている。なお、連結部１１ａ，１１ｂ，１１ｃが全く存在しない非連結箇所Ｓｚを設けることで、外側に位置する非連結部１２ａの長さＳａは、連結部１１ａ，１１ｂ，１１ｃの長さＬａ，Ｌｂ，Ｌｃより長くなる。しかし、最も内側に位置する非連結部１２ｃの長さＳｃは、非連結箇所Ｓｚの領域によっては、連結部１１ａ，１１ｂの長さＬａ，Ｌｂよりは長いが、連結部１１ｃの長さＬｃよりは短くなる場合もある。
【００１８】
図１（Ｃ）に示す８心の光ファイバテープ心線１０ｃは、光ファイバ心線１〜８の心線配列で、外側から内側に向けての連結部１１ａ〜１１ｄと非連結部１２ａ〜１２ｄにより
間欠的に連結してなる。
心線配列の一方の外側に位置する心線１と２を連結部１１ａと非連結部１２ａにより間欠的に連結し、他方の外側に位置する心線７と８を同様に連結部１１ａと非連結部１２ａにより間欠的に連結する。そして、その内側に位置する心線２と３及び心線６と７を、連結部１１ｂと非連結部１２ｂにより間欠的に連結する。また、次の内側に位置する心線３と４及び５と６を連結部１１ｃと非連結部１２ｃにより間欠的に連結し、最も内側に位置する心線４と５を連結部１１ｄと非連結部１２ｄにより間欠的に連結する。
【００１９】
そして、図１（Ａ）、（Ｂ）の例と同様に、隣り合う連結部１１ａと１１ｂ，１１ｂと１１ｃ，及び１１ｃと１１ｄは、互いに光ファイバテープ心線の長手方向に重ならないように離間される。なお、互いに隣り合っていない心線１，２間及び心線７，８間の連結部１１ａと、心線３，４間及び心線５，６間の連結部１１ｃとは、互いに重なっていてもよい。また、心線２，３間及び心線６，７間の連結部１１ｂと、心線４，５間の連結部１１ｄとは、互いに重なっていてもよい。また、心線配列方向で、連結部１１ａ，１１ｂ，１１ｃ，１１ｄが全く存在しない非連結箇所Ｓｚの領域が、光ファイバテープ心線の長手方向で間欠的に形成されるように、非連結部１２ａ，１２ｂ，１２ｃ，１２ｄの長さＳａ，Ｓｂ，Ｓｃ，Ｓｄが設定される。
【００２０】
本例の光ファイバテープ心線１０ｃは、特に心線配列の外側に位置する連結部１１ａの長さをＬａ、内側に位置する連結部１１ｂの長さをＬｂ、次の内側に位置する連結部１１ｃの長さをＬｃ、最も内側に位置する連結部１１ｄの長さをＬｄとしたとき、Ｌａ＜Ｌｂ＜Ｌｃ＜Ｌｄとして、内側の連結部の長さＬｂ，Ｌｃ，Ｌｄの長さを外側の連結部の長さＬａより順次長くして、内側の連結部の連結強度を高めている。なお、連結部１１ａ，１１ｂ，１１ｃ，１１ｄが全く存在しない非連結箇所Ｓｚを設けることで、外側に位置する非連結部１２ａの長さＳａは、連結部１１ａ，１１ｂ，１１ｃ，１１ｄの長さＬａ，Ｌｂ，Ｌｃ，Ｌｄより長くなる。しかし、最も内側の非連結部１２ｄの長さＳｄは、非連結箇所Ｓｚの領域によっては、連結部１１ａ，１１ｂ，１１ｃの長さＬａ，Ｌｂ，Ｌｃよりは長いが、連結部１１ｄの長さＬｄよりは短くなる場合もある。
【００２１】
図２は、図１の連結部を、長さの短い複数の連結部に分割して形成する例で、図２（Ａ）は４心の光ファイバテープ心線で図１（Ａ）に対応する例を示し、図２（Ｂ）は６心の光ファイバテープ心線で図１（Ｂ）に対応する例を示し、図２（Ｃ）は８心の光ファイバテープ心線で図１（Ｃ）に対応する例を示す。図の符号は、図１で用いたのと同じ符号を用いることで、重複する説明を省略する。
【００２２】
図２（Ａ）の光ファイバテープ心線１０ａ’は、図１（Ａ）で説明した光ファイバテープ心線１０ａの心線配列の内側に位置する連結部１１ｂを２分割で形成した例である。２分割されて長さが短く形成された連結部１１ｂ’、１１ｂ’の間には非連結部の長さＳｂよりも長さが短い非連結部が形成されている。実質的な長さＬｂは、図１（Ａ）の例と同様で、２つの連結部１１ｂ’と２つの連結部１１ｂ’の間の非連結部の合計長さＬｂが外側に位置する連結部１１ａの長さＬａより大きく形成されていればよく、これにより、内側の連結部の連結強度を高めている。なお、図２（Ａ）に示すように、内側に位置し２分割されて長さが短く形成された連結部１１ｂ’の合計長さが、外側に位置する連結部１１ａの連結長さＬａよりも長くなるように形成している。
【００２３】
図２（Ｂ）の光ファイバテープ心線１０ｂ’は、図１（Ｂ）で説明した光ファイバテープ心線１０ｂの心線配列の内側に位置する連結部１１ｂを２分割で形成し、最も内側に位置する連結部１１ｃを３分割で形成した例である。３分割されて長さが短く形成された連結部１１ｃ’、１１ｃ’の間には非連結部の長さＳｃよりも長さが短い非連結部が２つ形成されている。実質的な長さＬｂ，Ｌｃは、図１（Ｂ）の例と同様で、２つの連結部１１ｂ’と２つの連結部１１ｂ’の間の非連結部の合計長さＬｂが外側に位置する連結部１１ａの長さＬａより大きく形成され、最も内側の３つの連結部１１ｃ’と３つの連結部１１ｃ’の間の非連結部の合計長さＬｃが２つの連結部１１ｂ’と２つの連結部１１ｂ’の間の非連結部の合計長さＬｂより長く形成されていればよく、これにより、内側の連結部の連結強度を高めている。したがって、最も内側の連結部１１ｃ’は、２分割であってもよい。なお、図２（Ｂ）に示すように、最も内側に位置し３分割されて長さが短く形成された連結部１１ｃ’の合計長さが、これよりも外側に位置し２分割されて長さが短く形成された連結部１１ｂ’の合計長さよりも長くなるように形成している。
【００２４】
図２（Ｃ）の光ファイバテープ心線１０ｃ’は、図１（Ｃ）で説明した光ファイバテープ心線１０ｃの心線配列の内側に位置する連結部１１ｂを２分割で形成し、次の内側に位置する連結部１１ｃを３分割で形成し、最も内側に位置する連結部１１ｄを４分割で形成した例である。４分割されて長さが短く形成された連結部１１ｄ’、１１ｄ’の間には非連結部の長さＳｄよりも長さが短い非連結部が３つ形成されている。実質的な長さＬｂ，Ｌｃ，Ｌｄは、図１（Ｃ）の例と同様で、２つの連結部１１ｂ’と２つの連結部１１ｂ’の間の非連結部の合計長さＬｂが外側に位置する連結部１１ａの長さＬａより大きく形成され、次に内側の３つの連結部１１ｃ’と３つの連結部１１ｃ’の間の非連結部の合計長さＬｃが２つの連結部１１ｂ’と２つの連結部１１ｂ’の間の非連結部の合計長さＬｂより長く形成され、最も内側の４つの連結部１１ｄ’と４つの連結部１１ｄ’の間の非連結部の合計長さＬｄが３つの連結部１１ｃ’と３つの連結部１１ｃ’の間の非連結部の合計長さＬｃより長く形成されていればよく、これにより、内側の連結部の連結強度を高めている。したがって、次に内側の連結部１１ｃ’は、２分割であってもよく、最も内側の連結部１１ｄ’は、３分割であってもよい。
【００２５】
上述した光ファイバテープ心線の心線配列の内側に位置する連結部は、内側にいくほど連結強度が高められた構成となる。この結果、光ファイバテープ心線の連結部が破断することなく、図３（Ｃ）のように丸めたり、束ねたりすることができる。また、光ファイバ心線の単心分離、及び、一括融着接続等についても、従来と同様に行うことができる。
【符号の説明】
【００２６】
１０ａ〜１０ｃ’…光ファイバテープ心線、１１ａ〜１１ｄ’…連結部、１２ａ〜１２ｄ…非連結部、Ｌａ〜Ｌｄ…連結部の長さ、Ｓａ〜Ｓｄ…非連結部の長さ、Ｓｚ…非連結箇所。
【図１】
0005866786.tif 000002
【図２】
0005866786.tif 000003
【図３】
0005866786.tif 000004